(57)【要約】【課題】設置面積が少なく、狭少地も設置可能なコンパクトな構成であるにかかわらず、加熱能力が大きく、使用性の高いヒートポンプ給湯機を提供すること。【解決手段】圧縮機４、放熱器５、減圧手段６および蒸発器８を順次接続して閉回路を形成し、冷媒を循環させる冷媒循環回路２と、前記蒸発器８に送風する送風手段９と、前記放熱器５と熱交換を行う水−冷媒熱交換器１０と、前記水−冷媒熱交換器１０と接続され、前記水−冷媒熱交換器１０で加熱された温水を貯湯する貯湯手段１１と、機器の外郭の少なくとも一部を形成する筐体１とを備え、前記蒸発器８を前記筐体１の略上方部に配し、前記送風手段９から発せられた空気流が、前記筐体１の上面側から排出されるように構成するとともに、前記貯湯手段１１、前記圧縮機４、前記水−冷媒熱交換器１０を前記蒸発器８の下方に配設したヒートポンプ給湯機である。【選択図】図１
2006234350.tif 000002
【特許請求の範囲】
【請求項１】
圧縮機、放熱器、減圧手段および蒸発器を順次接続して閉回路を形成し、冷媒を循環させる冷媒循環回路と、前記蒸発器に送風する送風手段と、前記放熱器と熱交換を行う水−冷媒熱交換器と、前記水−冷媒熱交換器と接続され、前記水−冷媒熱交換器で加熱された温水を貯湯する貯湯手段と、機器の外郭の少なくとも一部を形成する筐体とを備え、前記蒸発器を前記筐体の略上方部に配し、前記送風手段から発せられた空気流が、前記筐体の上面側から排出されるように構成するとともに、前記貯湯手段、前記圧縮機、前記水−冷媒熱交換器を前記蒸発器の下方に配設したヒートポンプ給湯機。
【請求項２】
蒸発器を筐体の上面側からみて略ロの字状に構成し、送風手段を前記蒸発器の内方に設けた請求項１記載のヒートポンプ給湯機。
【請求項３】
蒸発器を筐体の上面側からみて略ロの字状に構成し、送風手段を前記蒸発器の上方に配設した請求項１記載のヒートポンプ給湯機。
【請求項４】
筐体内の上方部に配設された蒸発器、送風手段と、筐体内の下方部に配設された貯湯手段、圧縮機、水−冷媒熱交換器の間とを区画する中間基板を設け、前記中間基板が外方へ向かって下る傾斜部を有する構成とした請求項１〜３のいずれか１項に記載のヒートポンプ給湯機。
【請求項５】
貯湯タンクと対向する筐体に外方向へ突出する凸部を設けた請求項１〜４のいずれか１項に記載のヒートポンプ給湯機。
【請求項６】
水−冷媒熱交換器で暖められた温水は、貯湯手段に貯湯されるとともに、前記貯湯手段を介さずに給湯端末へ直接通水できるように構成した請求項１〜５のいずれか１項に記載のヒートポンプ給湯機。
【請求項７】
冷媒として炭酸ガスを用いたことを特徴とする請求項１〜６のいずれか１項に記載のヒートポンプ給湯機。
【発明の詳細な説明】
【技術分野】
【０００１】
本発明は、ヒートポンプ方式の給湯機に関するものである。
【背景技術】
【０００２】
従来、給湯機としては、ガスや石油を燃料として用い、その燃焼熱で水道水を加熱する給湯機が使用されてきた。これらは、速湯性に優れているという利点がある半面、ガス、石油といった燃料が必要でその供給が不可欠であること、燃焼後の排気ガスが大気に放出され大気汚染を招くこと、燃焼させるので不安全性を常に内在していること、燃焼時の音が大きいことなどの課題があった。特に近年増えている、エネルギー源を全て電気で行うというオール電化の住宅やマンションでは、燃料を供給する方法がないため、使用できないケースも増えてきているのが現状である。
【０００３】
そのようなオール電化の住宅やマンションの場合は、貯湯タンクを備えた電気温水器が備え付けられる例が多く、深夜電力を用いて、水道水を電気ヒーターで加熱して、高温（６５℃〜８５℃）にし、それを貯湯し、その高温水と、水道水をミキシングして、所定の温度の給湯を行うものである。ところが、深夜電力を利用するとは言え、電気代が高くなってしまう面があるために、省エネの観点から、近年では、貯湯タンクを備えた貯湯式のヒートポンプ給湯機が備え付けられる例が増えてきている。これは、燃焼による給湯機の問題を解決し、オール電化の住宅、マンションでも新たなインフラ整備を必要とせずに設置することができ、ヒートポンプ式であるため、入力に対する能力は３倍以上確保することが可能となるなどシステム効率が良く、運転に際しては安価な深夜電力を用いて、貯湯タンクに高温の湯を貯めることが可能となり、ランニングコストも安価となるなどと言った特長を持ち、徐々に普及してきている。
【０００４】
このような給湯機として、以下のようなヒートポンプ給湯機がある。このヒートポンプ式給湯機は、給湯サイクルと冷媒循環回路の本体を二つに分割し、給湯口と湯入口とを連結する循環路に介設されている。更に、給湯サイクルと冷媒循環回路は、室外側に配設されている連絡配管にて連結されている（例えば、特許文献１参照）。
【０００５】
上記ヒートポンプ給湯機にて、給湯サイクルと冷媒循環回路の部分を一体化したものも考案されている。これは、圧縮機と蒸発器である空気−冷媒熱交換器を、貯湯タンクの上部に配置するように構成されており、空気−冷媒熱交換器に空気を送風する送風ファンが、空気−冷媒熱交換器の側方に配され、横方向の風路を構成している（例えば、特許文献２参照）。
【０００６】
また、除霜運転時の水処理性能を向上させた蒸発器を備えたヒートポンプ給湯機としては、２台以上鉛直方向に積み重ねた空気−冷媒熱交換器の前方に、それぞれに対応するよう送風ファンが配され、同じく横方向の風路を構成している（例えば、特許文献３参照）。
【０００７】
さらに、小型化を可能としたヒートポンプ給湯機が示されているが、その構成は、Ｕ字状の蒸発器である空気−冷媒熱交換器を上方に配し、その下方に貯湯タンクを配し、筐体の背面と少なくとも片側面を流通させるように、送風ファンを前記蒸発器の前方に配し、前記特許文献２と同じく横方向の風路を構成し、筐体をコンパクトに、特に横幅を小さくする構成としている（例えば、特許文献４参照）。
【０００８】
また、主に集合住宅向けでは、集合住宅における設備機器設置構造として、設備配管ス
ペース（いわゆる、ＭＢ（メーターボックス）や、ＰＳ（パイプスペース））に、空調用の室外機等を収容する構造も考案されており、住宅の専有スペースを増加させて、居住性を高めるものとして考案されている（例えば、特許文献５参照）。
【特許文献１】特開２００３−２２２３９２号公報
【特許文献２】特開平７−９８１５６号公報
【特許文献３】特開２００４−１４４３４４号公報
【特許文献４】特開２００４−１７６９９２号公報
【特許文献５】特許第３２０５３８１号公報
【発明の開示】
【発明が解決しようとする課題】
【０００９】
しかしながら、上記特許文献１の構成では、給湯サイクルと冷媒循環回路が分かれているので、それぞれが別個に必要であり、また、それぞれを二つ設置した場合、それらの寸法が大きく、かつ重量も重いために、設置場所が限られるという面があった。また、連絡配管を室外側に配設するので、凍結防水等が必要であり、施工性やコスト性に課題を有していた。
【００１０】
また、近年高層マンション等の集合住宅への設置を行う際に、上記特許文献１に開示されているような、給湯サイクルと冷媒循環回路を分離した構成では、給湯サイクルを含むユニットをメーターボックス（ＭＢ）やパイプスペース（ＰＳ）に入れる例があるが、その部位に収納できるような詳細な構成は開示されていない。また、例えメーターボックス（ＭＢ）やパイプスペース（ＰＳ）に入れた場合も、空気熱交換器には、熱交換を促進するために送風ファンで風を送る必要があるが、その風が高所から出てくるために、その場所にいる人の顔付近に当たり、不快感を与えるということがなど、搬送性、使用性で課題を有していた。
【００１１】
一方、上記特許文献２に開示されているヒートポンプ給湯機では、運搬時や組立時にバランスが悪いと言う面があった。例えば、組立、運搬の際には、下方にある貯湯タンクは、内方に何もなく空っぽの状態であり、非常に軽い。それに対して、上方にある圧縮機や空気熱交換器などは、非常に重い。そのため、搬送時に非常に運びにくく、また上方が重いために筐体の強度をかなり上げないと、本体を間違って落下させた際に変形しやすいと言うことがあり、その対策として、梱包材を大きくすることが必要となり、コスト面でも高くなってしまっていた。
【００１２】
さらに、上記特許文献１、特許文献２に開示されているヒートポンプ給湯機においては、貯湯タンク内の湯量が限られるため、人が多く集まった際などには使用湯量が多くなり、貯湯タンク内の湯量がなくなってしまう場合があり、その際には再度沸き上げを行うことが必要となるが、元来深夜電力を用いて、小能力で長時間かけて湯を貯めるという商品であるために、貯湯するまでに相当長い時間を要すること、さらに、昼間の電力を用いて運転を行うため、深夜電力利用のメリットがなくなり、電気代が多くかかることなど、使い勝手に課題があった。
【００１３】
また、特許文献３のヒートポンプ給湯機では、送風ファンを２個備え、空気−媒熱交換器の面積を大きくし、加熱能力を大きくすることが可能となる。しかし、この例でも、空気−冷媒熱交換器には、熱交換を促進するために送風ファンで風を送る必要があるが、その風が前方に吹出されるために、その場所にいる人の顔付近に当たり、不快感を与えるという面あり、メーターボックス（ＭＢ）やパイプスペース（ＰＳ）内に組み込むには不適切であった。また、空気−冷媒熱交換器の面積を大きくし、それに合わせて送風ファンと２ケの送風ファンを用いているために、コストアップも招くなど、使用性、コスト面で課題を有していた。
【００１４】
さらに、特許文献４のヒートポンプ給湯機では、空気−冷媒熱交換器をＵ字状として面積を大きくし、送風ファンを２個備えることにより、十分な加熱能力を得るための構成を示しているが、前述した特許文献２と同じく、空気−冷媒熱交換器には、熱交換を促進するために送風ファンで風を送る必要があるが、その風が前方に吹出されるために、その場所にいる人の顔付近に当たり、不快感を与えるという面あり、メーターボックス（ＭＢ）やパイプスペース（ＰＳ）内に組み込むには不適切であった。また、空気−冷媒熱交換器の面積を大きくし、それに合わせて送風ファンに２個の送風ファンを用いているために、コストアップも招くなど、使用性、コスト面で課題を有していた。
【００１５】
また、特許文献５では、室内空調用の室外機等の設置構造は示されているが、それは高所に室外機を持ち上げて備え付けた図となっており、質量の大きな特許文献３や特許文献４のようなヒートポンプ給湯機においては、そのような高所に持ち上げることは難しいものであり、そのため、低所から風が出てくるために、居住性に課題を有していた。
【００１６】
前記従来の課題を解決するために本発明は、設置面積が少なく、狭少地も設置可能なコンパクトな構成であるにかかわらず、加熱能力が大きく、使用性の高いヒートポンプ給湯機を提供することを目的とする。
【課題を解決するための手段】
【００１７】
前記従来の課題を解決するために、本発明のヒートポンプ給湯機は、圧縮機、放熱器、減圧手段および蒸発器を順次接続して閉回路を形成し、冷媒を循環させる冷媒循環回路と、前記蒸発器に送風する送風手段と、前記放熱器と熱交換を行う水−冷媒熱交換器と、前記水−冷媒熱交換器と接続され、前記水−冷媒熱交換器で加熱された温水を貯湯する貯湯手段と、機器の外郭の少なくとも一部を形成する筐体とを備え、前記蒸発器を前記筐体の略上方部に配し、前記送風手段から発せられた空気流が、前記筐体の上面側から排出されるように構成するとともに、前記貯湯手段、前記圧縮機、前記水−冷媒熱交換器を前記蒸発器の下方に配設したもので、本体の高さが高く、横幅が小さい形状とすることが可能となり、設置面積を大幅に減じ、施工性に優れたヒートポンプ給湯機とすることができる。
【発明の効果】
【００１８】
本発明によれば、設置面積が少なく、狭少地も設置可能なコンパクトな構成であるにかかわらず、加熱能力が大きく、使用性の高いヒートポンプ給湯機を提供できる。
【発明を実施するための最良の形態】
【００１９】
第１の発明は、圧縮機、放熱器、減圧手段および蒸発器を順次接続して閉回路を形成し、冷媒を循環させる冷媒循環回路と、前記蒸発器に送風する送風手段と、前記放熱器と熱交換を行う水−冷媒熱交換器と、前記水−冷媒熱交換器と接続され、前記水−冷媒熱交換器で加熱された温水を貯湯する貯湯手段と、機器の外郭の少なくとも一部を形成する筐体とを備え、前記蒸発器を前記筐体の略上方部に配し、前記送風手段から発せられた空気流が、前記筐体の上面側から排出されるように構成するとともに、前記貯湯手段、前記圧縮機、前記水−冷媒熱交換器を前記蒸発器の下方に配設したもので、本体ユニットを本体投影面積を小さくしつつ、空気−冷媒熱交換器の面積を大きくすることが可能、つまりはコンパクトトールスリム（設置面積が小さくて、細くて背が高い）な形態とできるために、設置面積を少なくすることができ、設置汎用性が高いヒートポンプ給湯機とすることができる。
【００２０】
また、蒸発器の面積を本体ユニット内で極力大きくすることが可能となり、加熱能力を増すことが可能となり、給湯時の湯切れ等の不具合が生じない、安定してお湯を供給できるヒートポンプ給湯機を供給することができる。また、本体寸法を小さくしても、蒸発器
の面積を十分に大きくすることが可能となり、加熱能力を増すことが可能となり、給湯時の湯切れ等の不具合が生じない、安定してお湯を供給できるヒートポンプ給湯機を供給することができるるとともに、コンパクトなヒートポンプ給湯機とすることができる。また、送付手段により生じる騒音も、本体上方に向かって出ることにより、使用の際に最も気になる、本体側方の騒音値を低減することが可能となり、本体側方で聞いた場合には、実聴感の優れたヒートポンプ給湯機とすることができる。
【００２１】
さらに、近年増えているヒートポンプ給湯機を集合住宅に設置する際に、ヒートポンプ給湯機をメーターボックス（ＭＢ）やパイプスペース（ＰＳ）等の狭少部設置すること際にも、蒸発器で熱交換され送風手段で送られる冷気が本体上方から出ることにより、メーターボックス（ＭＢ）やパイプスペース（ＰＳ）の天井付近の上方、つまりが冷風が人に当たらない位置から排出することが可能となり、使用性の良いヒートポンプ給湯機とすることができる。
【００２２】
第２の発明は、蒸発器を筐体の上面側からみて略ロの字状に構成し、送風手段を前記蒸発器の内方に設けたもので、蒸発器の面積を本体ユニットの設置面積とほぼ同じ大きさまで大きくすることができ、蒸発面積が大きくなり、ひいてはヒートポンプ能力、加熱能力を高めることが可能となる。
【００２３】
また、送風手段を蒸発器の内方に設けており、蒸発器は本体ユニットの最上部まで延伸できるために、本体ユニットの大きさに比して、最大限大きくすることが可能となり、加熱能力を向上することができる。また、略ロの字状の蒸発器の全周、４方向からから空気を流して熱交換することにより、ＭＢ（メーターボックス）などの閉塞された空間、つまりは４方向が閉じられたような空間に設置した場合にも、４方向から吸引できるために、熱交換能力がダウンすることがなく、設置汎用性を高めることができる。
【００２４】
第３の発明は、蒸発器を筐体の上面側からみて略ロの字状に構成し、送風手段を前記蒸発器の上方に配設したもので、第２の発明と同じく、空気−冷媒熱交換器をコンパクトにしつつ、熱交換面積を大きくすることが可能となり、ヒートポンプ加熱能力を向上することが可能となる。さらに、送風手段を、蒸発器の外周寸法より大きくして、送風量を増すことが可能であり、そのことは、逆に言えば、同一送風量ならば、送風手段の回転数を減ずることができることを意味しており、それにより、送風手段から発せられる騒音を低減することが可能となる。
【００２５】
第４の発明は、筐体内の上方部に配設された蒸発器、送風手段と、筐体内の下方部に配設された貯湯手段、圧縮機、水−冷媒熱交換器の間とを区画する中間基板を設け、前記中間基板が外方へ向かって下る傾斜部を有する構成としたもので、蒸発器にて凝縮され結露した水分が、中間基板の後方に排水されるようになっており、下方にある圧縮機などの高圧部分に水がかかることがなく、安全性に優れたヒートポンプ給湯機とすることができる。
【００２６】
第５の発明は、貯湯タンクと対向する筐体に外方向へ突出する凸部を設けたもので、貯湯タンクは本体ユニットのより後方に配することができ、貯湯タンク前方のスペースに、給湯回路を配置でき、空間を有効に活用することにより、コンパクト化を図ることができる。
【００２７】
第６の発明は、水−冷媒熱交換器で暖められた温水は、貯湯手段に貯湯されるとともに、前記貯湯手段を介さずに給湯端末へ直接通水できるように構成したもので、水−冷媒熱交換器で暖められた水道水は、貯湯タンクに給湯することができるとともに、一方で貯湯タンクを介さずに蛇口やシャワー等の給湯端末へ直接通水されるので、速湯性に優れ、使
い勝手が良く、湯切れの心配もないヒートポンプ給湯機を提供することができる。
【００２８】
また、運転立ち上がり当初は貯湯タンクから給湯し、圧縮機が最適運転周波数になった後には、ダイレクトに給湯するという瞬間湯沸かし型のヒートポンプ給湯機とすることが可能となる。
【００２９】
第７の発明は、冷媒として炭酸ガスを用いたもので、高温給湯の際の熱効率を高めるとともに、冷媒が外部に漏れても、地球温暖化に及ぼす影響を、一般的エアコンに用いられているＲ−４１０Ａの冷媒に比して大幅に低減することができ、環境に優しく、リサイクル性にも優れたヒートポンプ給湯機とすることができる。
【００３０】
以下、本発明の実施の形態について、図面を参照しながら説明する。なお、この実施の形態によって本発明が限定されるものではない。
【００３１】
（実施の形態１）
図１は、本発明の第１の実施の形態におけるヒートポンプ給湯機の概略斜視図、図２は図１に示す回路構成図、図３は正面詳細内観図である。
【００３２】
まず、図１のヒートポンプ給湯機の概略斜視図から説明を行う。図１より、筐体にて形成された本体ユニット１内には、冷媒循環回路２（上下に分かれている）と給湯サイクル３が一体に収納して構成され、冷媒循環回路２は本体ユニット１内の左下方側と本体ユニット１内の上方側に配設され、給湯サイクル３は本体ユニット１内の下方に配設されている。
【００３３】
この冷媒循環回路２は、圧縮機、放熱器、減圧手段および蒸発器を順次接続して閉回路が構成されており、縦置き形の圧縮機４と、放熱器５（水−冷媒熱交換器１０）と、減圧手段である電動膨張弁６が本体ユニット１の最下方に配置されている。本体ユニットの中間部には、中間基板７があり、これは後方に向かって１度から３度程度傾斜した形状となっている。中間部にある、この中間基板７には、蒸発器である空気−冷媒熱交換器８が載置されている。この空気―冷媒熱交換器８は、上面側から見て略ロの字状をしており、配管接続部８ａが、本体ユニット１の左後方に設けられている。空気―冷媒熱交換器８の内上方には、送風手段である送風ファン９があり、空気−冷媒熱交換器８に風を当て、蒸発能力を高め、ヒートポンプ加熱能力を高めるようになっている。また、この送風ファン９は本体ユニット１の上面より上方側へ風を流す、つまり、略ロの字状の空気−冷媒熱交換器６の４方向ある側方から吸引して、空気−冷媒熱交換器で熱交換を行い、熱交換された排気を上方に流すようになっている。１０は本体ユニット１の左端部に配された給湯サイクル３に含まれる水−冷媒熱交換器（放熱器）であり、放熱器５と水−冷媒交換器１０は一体形状となっている。
【００３４】
本体ユニット１の右下方には、給湯サイクル３を構成する部品が設けられており、本体ユニット１の右下後方にある１１は、水−冷媒熱交換器１０で加熱された水道水を貯めておくための貯湯タンクであり、缶体状になっている。貯湯タンク１１の前方には、給湯回路１２が配されている。１３は貯湯タンク１１や水−冷媒熱交換器１０に水道水を入水する入水管、１４は貯湯タンク１１や水−冷媒熱交換器１０から温水を給湯端末（蛇口や風呂）に給湯する給湯管である。１５は風呂のお湯を追い炊きするための風呂熱交換器であり、１６は風呂熱交換器１５を取り付けている、風呂熱交金具であり、貯湯タンク１１にスポット溶接されている。
【００３５】
風呂熱交換器１５は、風呂と接続された浴槽入湯管１７を介して、水−冷媒熱交換器１０の上方に配された風呂循環水ポンプ１８で風呂からお湯を引き込み、そのお湯と、風呂
循環水ポンプ１８の上方に配された追炊きポンプ１９にて、貯湯タンク１１から風呂熱交換器１５に送られた高温水とを熱交換して、浴槽出湯管２０で風呂へ戻すことにより、風呂の追炊きを行う。つまり、風呂熱交換器１５は、水−水熱交換器となっているわけである。また、この風呂熱交換器１５は、風呂熱交金具１６により、貯湯タンク１１の上方に取り付けられており、これは貯湯タンク１１の上方の高温のお湯を、追炊きポンプ１９で引き込むことにより、短時間で追い炊きが行えるようにするためである。２１は制御装置であり、冷媒循環回路２や、給湯サイクル３を最適となるように制御する手段である。
【００３６】
以下に、図２に示す回路構成図について説明する。図１と同一部品には同一符号を付し、その説明は省略する。図２において、本実施の形態のヒートポンプ給湯機は、本体ユニット１内に冷媒循環回路２と給湯サイクル３とを一体に収納して構成されている。
【００３７】
冷媒循環回路２は、本体ユニット１内部に配設された圧縮機４と、放熱器５と、例えば電動膨張弁から成る減圧手段６と、Ｌ字形状の空気熱交換器から成る蒸発器８（空気−冷媒熱交換器）とが冷媒配管２ａで接続されて構成されている。また、蒸発器８（空気−冷媒熱交換器）に風を当て、蒸発能力を高めるための送風ファン９が設けられている。
【００３８】
一方、給湯回路は、放熱器５と熱交換を行って水道水などを温水に変える水−冷媒熱交換器１０（例えば、放熱器５と一体形状となっている二重管構造の熱交換器）と、水−冷媒熱交換器１０にて得た温水を貯める貯湯タンク１１と、貯湯タンク１１や水−冷媒熱交換器１０に水道水を入水する入水管１３と、貯湯タンク１１や水−冷媒熱交換器１０から温水を蛇口２２やシャワー２３の給湯端末に給湯する給湯管１４と、貯湯タンク１１内の低温の水を送水する給湯循環水ポンプ２４から構成されている。
【００３９】
更に、上記給湯回路の構成について説明する。
【００４０】
タンク入水管２５は、入水管１３から水道水を貯湯タンク１１に送る配管であり、途中にタンク入水逆止弁２６が設けられている。水道水供給管２７は、入水管１３から放熱器５（水−冷媒熱交換器１０）に水道水を直接供給する配管であり、この水道水給水管２７に逆止弁２８が設けられている。熱交給水管２９は、貯湯タンク１１から水−冷媒熱交換器１０に、給湯循環水ポンプ２４の運転により、貯湯タンク１１内の下方に貯まった低温水を送る配管であり、貯湯管３０は、水−冷媒熱交換器１０で暖めた水道水を、貯湯タンク１１や、元混合弁３１に送る配管であり、貯湯タンク側配管３０ａの途中には貯湯三方弁３２が、また元混合弁側配管３０ｂの途中には逆止弁Ａ３３が設けられている。
【００４１】
また、タンク給湯管３４は、貯湯タンク１１から高温水（通常は６０℃〜９０℃）を元混合弁３１へ給湯する配管であり、元混合弁３１は、貯湯管３０（元混合弁側配管３０ｂ）とタンク給湯管３４とから来る温水や水を混合させる弁であり、逆止弁Ａ３３は、元混合弁３１手前に設けられた弁である。また、給湯混合弁３５は、元混合弁３３を通過した温水と、入水管１３から供給される水道水とを混合し、適切な給湯温度を得、蛇口２２やシャワー２３に供給する弁であり、給湯混合弁３５と入水管１３の間には逆流防止の逆止弁Ｂ３５ａ、３５ｂが設けられている。そして、給湯混合弁３５にて最適温度となった温水が、給湯管１４を介して、蛇口２２やシャワー２３に給湯される。
【００４２】
３６は風呂注湯混合弁であり、同じく元混合弁３１を通過した温水と、入水管１３から供給される水道水とを混合し、適切な給湯温度を得、風呂３７に注湯する弁であり、風呂注湯混合弁３６と入水管１３の間には逆流防止の逆止弁Ｃ３６ｂが設けられている。風呂注湯混合弁３６にて最適温度となった温水が、風呂注湯管３８を介し、逆流防止弁３９を通過して、風呂３７に注湯され、風呂に湯をはることになる。
【００４３】
１５は風呂熱交換器であり、風呂注湯混合弁３６から風呂３７へとお湯が向かう際に通過することになる。風呂熱交換器１５は、風呂３７内のお湯を追炊きする際に用いる熱交換器であり、風呂３７から、浴槽出湯管１７を介して、風呂循環水ポンプ１８で風呂からお湯を引き込み、そのお湯と、貯湯タンク１１から追炊きポンプ１９で引き込んだ貯湯タンク１１内の高温水とを熱交換して、浴槽入湯管２０で風呂へ戻すことにより、風呂３７の温度を一定に保つ保温運転や、風呂３７の湯量を足さなくても湯温を上昇させる追炊き運転を行う。つまり、風呂熱交換器１５は、水−水熱交換器となっているわけである。
【００４４】
また、４０は入水流量計であり、入水流量を測定する計器であり、給湯流量計４１は給湯流量を測定する計器である。排出弁４２は、寒冷地等にて長期間使用しない場合に、凍結防止等でタンク内の水を抜くために用いる弁であり、制御弁４３は入水流量を制御する弁である。４４ａは貯湯タンク１１の圧力逃がし弁、４４ｂは貯湯タンク１１の缶体保護弁である。
【００４５】
また、制御装置２０は、冷媒循環回路の高圧側の冷媒温度を検出し、その温度の高低から冷媒循環回路の立ち上がり状態を判定し、元混合弁３１や給湯混合弁３５、風呂注湯混合弁３７の開度を制御する手段である。
【００４６】
これらの部品を本体ユニット内に配したのが図１の概略斜視図であり、図３の内観図である。図３は正面内観図であり、図１の概略斜視図をより具体的に記載したものである。
【００４７】
図１、図２と同じく、本体ユニット１内には、冷媒循環回路と給湯サイクルが一体に収納して構成されており、この冷媒循環回路は、本体ユニット１下方に縦置き形の圧縮機４、放熱器５、減圧手段である例えば電動膨張弁６とが近接して配設してある。そして、蒸発器である空気−冷媒熱交換器８は、本体上方に略ロの字状に構成され、後方に傾斜された中間基板７に載置されており、空気−冷媒熱交換器８の中央部上方には、送風手段である送風ファン９があり、この送風ファン９はファン支持板４５に固定されている。そして、このファン支持板４５は、本体ユニットの天板４６に支持されており、送風ファン９の周囲には、天板４６で形成したベルマウス４７があり、送風量を十分に確保できるようにしてある。
【００４８】
太目の矢印で記載しているように、送風ファン９で吸引された空気は、略ロの字状の空気−冷媒熱交換器６の４方向ある側方から引き込まれて、空気−冷媒熱交換器８で熱交換を行い、熱交換され、吸熱された空気は、送風ファン９を通過して、本体ユニット１の上方に排出されるようになっている。また、空気−冷媒熱交換器８の左方は接続配管部分８ａがあり、中間基板７の下方にある圧縮機４、減圧手段６と冷媒配管で接続されており、圧縮機４、放熱器５、減圧手段である電動膨張弁６、空気−冷媒熱交換器８が冷媒配管で環状に結ばれて、冷媒循環回路２を構成している。１０は本体下左方に配設された給湯サイクルに含まれる水−冷媒熱交換器であり、放熱器５と水−冷媒熱交換器１０は一体形状となっている。圧縮機４、水−冷媒熱交換器１０（放熱器５）などは、本体ユニット１最下方の基板４８に載置してあり、この基板４８の下面には、給湯配管を通すための空間を８０〜２００ｍｍ程度空けるように脚４９がある。
【００４９】
水−冷媒熱交換器１０の上方、貯湯タンク１１の左方には、風呂循環水ポンプ１８があり、風呂循環水ポンプ１８の上方には、追い炊きポンプ１９が配されており、風呂給湯熱交換器１６（２０）と貯湯タンクと接続されている。そして、追い炊きポンプ１９の上方には、給湯循環水ポンプ２４が配され、貯湯タンク１１、水−冷媒熱交換器１０と接続されている。これら３ケのポンプが、概略上下に、３列に並ぶようにレイアウトされており、前面から見えるようにもなっており、メンテナンス性を向上させている。
【００５０】
本体ユニット１の下方で、主として右方には、給湯サイクルを構成する部品が設けられており、本体ユニット１の右下後方、圧縮機４の後方にある１１は、水−冷媒熱交換器１０で加熱された水道水を貯めておくための貯湯タンクであり、缶体状になっている。貯湯タンク１１の前方には、給湯回路１２が配されている。１３は貯湯タンク１１や水−冷媒熱交換器１０に水道水を入水する入水管であり、本体ユニットの下方にある基板４８より若干高い位置に、接続部である配管接続板５０があり、配管の接続を容易になるようにしている。１４は貯湯タンク１１や水−冷媒熱交換器１０から蛇口やシャワーなどの給湯端末に給湯する給湯管であり、これも配管接続板５０に接続されている。配管接続板５０には、風呂への注湯や追炊きを行うための、浴槽出湯管１７、浴槽入湯管２０も取り付けられている。浴槽出湯管２０の上方には風呂熱交換器１６が設けられており、風呂熱交換器１６の上方は、貯湯タンク１１とタンク配管１１ａでつながっている。
【００５１】
貯湯タンク１１の前方や上方には、給湯サイクル部品が配されており、元混合弁３１、給湯混合弁３５、風呂注湯混合弁３６、圧力逃がし弁４４が貯湯タンク１１上方に、貯湯三方弁３２、逆流防止弁３９、制御弁４３が貯湯タンク１１の前方に配されている。
本体ユニット左上方にあるのは制御装置２１であり、給湯サイクル３を構成する部品より上方に配していることにより、例えどこかで水漏れが生じたとしても、制御装置２１に水がかかり、漏電してしまうようなことがないようにしてある。
【００５２】
以下、図面に基づいて、上記ヒートポンプ給湯機の動作を説明する。
【００５３】
圧縮機４を運転すると、高圧まで圧縮されて吐出された冷媒は、放熱器５（水−冷媒熱交換器１０）に送られ、水道水供給管１３を通ってきた水道水と熱交換して放熱する。これにより、貯湯管３０、元混合弁３１に流れる水道水は高温に加熱される。放熱器５（水−冷媒熱交換器１０）から流出する冷媒は、減圧手段６にて減圧膨張され、蒸発器（空気−冷媒熱交換器）８に送られ、送風ファン９にて送られた空気と熱交換して、蒸発器（空気−冷媒熱交換器）８を通過する間に、蒸発してガス化する。このガス化した冷媒は、再度圧縮機４に吸入され、再度圧縮される過程を繰り返し、徐々に加熱された水道水は、給湯管３０、元混合弁３１を通り、蛇口２２、シャワー２３に給湯したり、風呂３７に注湯される。
【００５４】
そして、冷媒サイクル２は立ち上がりが遅く、速湯性に劣っているため、貯湯タンク１１によってその立ち上がりの悪さを補っている。すなわち、冷媒サイクル２が立上り、所定の給湯温度となるまでの間は、高温に保たれた貯湯タンク１１からタンク給湯管３４を通過してきた温水と、まだ立ち上がっていない水−冷媒熱交換器１０を通過してきた水（徐々に温度が上がり高温となる水）とを、元混合弁３１で混合し、さらに給湯混合弁３５、風呂注湯混合弁３６で入水管１３を通ってきた水道水と混合して、所定の温度の給湯あるいは注湯を行う。
【００５５】
次に冷媒サイクルが立ち上がってくると、元混合弁３１の開度を調整し、貯湯タンク１１からの高温の温水と、水−冷媒熱交換器１０からの温水を適温に混合し、給湯混合弁３５や、風呂注湯混合弁３６に送り、給湯混合弁３５や風呂注湯混合弁３６で入水管１３を通ってきた水道水と混合して給湯する。
【００５６】
最終的には、元混合弁３１の開度を調整して、タンク給湯管３４側を閉じて、貯湯タンク１１からタンク給湯管３４を通過してきた温水は用いず、入水管１３、水道水供給管２７、逆止弁２８を通ってきた水道水を冷媒サイクル２の水−冷媒熱交換器１０で加熱して得た温水を、元混合弁３１を介して、給湯混合弁３５、風呂注湯混合弁３６へ送り、入水管１３を通ってきた水道水と、混合し、所定の温度を得て、蛇口２２、シャワー２３への給湯や、風呂３７への注湯を行う。即ち、制御装置４５によって、冷媒サイクル２の立ち
上がり状態を把握し、元混合弁３１や給湯混合弁３５、風呂注湯混合弁３６の開度を調整し、所定温度の温水を給湯端末に供給する制御が行われる。
【００５７】
また、使用者が、蛇口２２、シャワー２３を閉じるか、あるいは風呂３７に適量のお湯が溜まって給湯する必要がなくなると、水ポンプ２４を駆動させ、三方弁３２を開き、次回の給湯運転のために、貯湯タンク１１に高温の温水を貯湯する貯湯運転が行われる。
【００５８】
このように冷媒サイクル２の立ち上がり状態に応じて、貯湯タンク１１に貯めた温水を用いて給湯端末（蛇口３３、シャワー２３、風呂３７）へ給湯、注湯したり、貯湯タンク１１を介さずに水−冷媒熱交換器１０で加熱して得た温水を給湯端末へ直接給湯したりすることができる構成としている。これにより本実施の形態では、リアルタイム給湯を可能とし、使用者が給湯したいときに給湯ができる速湯性能を確保することができ、使い勝手の良いヒートポンプ給湯機を提供することができる。換言すれば、この速湯性能の確保によって、貯湯タンク１１の容量を貯湯式のヒートポンプ給湯機のそれよりも小さいものとすることができ、設置性の大幅な向上、コストダウン、使用性の向上を実現できることにもなる。
【００５９】
この際に、本実施の形態のヒートポンプ給湯機では、圧縮機４、放熱器５（水−冷媒熱交換器１０）、減圧手段６、空気−冷媒熱交換器８を順次接続して閉回路を構成し、冷媒を循環させる冷媒循環回路のうち、空気−冷媒熱交換器を除くものを本体ユニット１の下方に配し、合わせて、貯湯タンク１１、給湯回路１２、風呂循環水ポンプ１８などの給湯部品も温帯ユニットの下方に配し、空気−冷媒熱交換器８、送風ファン９を本体ユニット１の上方に配して、空気−冷媒熱交換器８で熱交換された空気を、本体ユニット１の上方に排出する構成としていることにより、本体ユニットを本体投影面積を小さくしつつ、空気−冷媒熱交換器８の面積を大きくすることが可能、つまりはコンパクトトールスリム（設置面積が小さくて、細くて背が高い）な形態とできるために、設置面積を少なくすることができ、設置汎用性が高いヒートポンプ給湯機とすることができる。
【００６０】
また、空気−冷媒熱交換器８の面積は、本体ユニット１を上方に伸ばせば、設置面積は変えずに大きくすることができ、加熱能力を増すことが可能となり、給湯時の湯切れ等の不具合が生じない、安定してお湯を供給できるヒートポンプ給湯機を供給することができる。さらに、送風ファン９が上方に吹出し、それにより生じる送風ファンの騒音も、本体上方に向かって出ることになり、使用の際に最も気になる、本体側方の騒音値を低減することが可能となり、本体側方で聞いた場合には、低騒音化の可能なヒートポンプ給湯機とすることができる。
【００６１】
さらに、近年増えているヒートポンプ給湯機を集合住宅に設置する際に、ヒートポンプ給湯機をメーターボックス（ＭＢ）やパイプスペース（ＰＳ）等の狭少部に設置すること際にも、大きなメリットがある。これは図４で説明するが、これは本実施の形態のヒートポンプ給湯機をＭＢ（メーターボックス）内の狭小なところに設置した例である。同じ部品の図番は図１、図２、図３と同じであり、関連する部品だけ図番を付与している。ＭＢ（メーターボックス）５１内に設置されたヒートポンプ給湯機は、送風ファン９で吸引されて、ＭＢ（メーターボックス）５１の下方のガラリ部５１ａから空気を吸い込み、本体ユニット１の空気−冷媒熱交換器８を通り、上方へ排出され、ＭＢ（メーターボックス）の上方ガラリ５１ｂから外部へ排出される。つまり、太目の矢印で記載したような、空気の流れとなるわけである。これにより、メーターボックス（ＭＢ）を出た部分の天井付近の上方、つまり冷風が人に当たらない位置から排出することが可能となり、使用性の良いヒートポンプ給湯機とすることができる。これについては、特に集合住宅では、メーターボックス（ＭＢ）やパイプスペース（ＰＳ）部は、その外方が廊下であったり、アルコーブであるような例が大多数であり、人が通ることは頻繁ななので、人に風を当てないこと
は、使用性の観点からも需要である。また、上方のガラリ５１ｂは平行なガラリとしておいても、見栄え的には問題がなく、空気−冷媒熱交換器８を通解してきた冷気を阻害すこともないために、デザイン面でも良好な形態とすることができる。
【００６２】
また、空気−冷媒熱交換器８を除く冷媒循環回路２と、給湯サイクル３を、下方の近接した位置に配置することにより、冷媒管や給湯管の長さを、短くすることが可能となるために、コストダウンが可能であり、組立性、メンテナンス性にも秀でたヒートポンプ給湯機とすることができる。
【００６３】
加えて、運転に関して言えば、水−冷媒熱交換器１０で暖められた水道水は、貯湯タンク１１に給湯されるとともに、貯湯タンク１１を介さずに、蛇口２２やシャワー２３や浴槽３７に直接給湯するようにしたものであり、水−冷媒熱交換器８で暖められた水道水は、貯湯タンク９に給湯することができるとともに、一方で貯湯タンク９を介さずに蛇口２２などに直接通水されるので、速湯性に優れ、使い勝手が良く、湯切れの心配もないヒートポンプ給湯機を提供することができる。また、運転立ち上がり当初は貯湯タンク１１から給湯し、圧縮機４が最適運転周波数になった後には、ダイレクトに給湯するという瞬間湯沸かし型のヒートポンプ給湯機とすることが可能となる。
【００６４】
（実施の形態２）
図５は、本発明の第２の実施の形態におけるヒートポンプ給湯機の正面及び上面内観図である。付与している番号に付いては、第１の実施の形態と同一である。
【００６５】
図５において、８は空気−冷媒熱交換器であり、上方から見て略ロの字状に構成されており、本体ユニット１の４方向全域が空気−冷媒熱交換器８となるように構成されている。空気−冷媒熱交換器８の内方には送風ファン９が設けられており、上方へ風を流すようになっている。一点鎖線で記載している４７は、送風ファン７外方のベルマウスである。太目の矢印は、空気の流れを示しており、ロの字状の空気−冷媒熱交換器８の４方向全周から空気を流し、熱交換させている。
【００６６】
それにより、空気−冷媒熱交換器８の面積を本体ユニット１の設置面積とほぼ同じ大きさまで大きくすることができ、蒸発面積が大きくなり、ひいてはヒートポンプ能力、加熱能力を高めることが可能となる。給湯に際しては、冷媒循環回路の立ち上がり状態に応じて、貯湯タンク１１に貯めた温水を用いて給湯端末へ給湯したり、貯湯タンク１１を介さずに水−冷媒熱交換器８で加熱して得た温水を給湯端末へ直接給湯したりすることができる構成としていので、加熱能力が大きいことは、その分貯湯タンクを小さくすることができ、主として高さ方向を縮小化が可能となり、さらなるコンパクト化を図ることが可能となる。
【００６７】
この際に、送風ファン９を空気−冷媒熱交換器８の内方に設けており、空気−冷媒熱交換器８は本体ユニット１の最上部まで延伸できるために、本体ユニット１の大きさに比して、最大限大きくすることが可能となり、加熱能力を向上することができる。
【００６８】
また、送風ファン９を１ケしか用いないでも、２ケ送風ファンを用いる従来例に近い、あるいは同等の蒸発能力を確保できるために、送風ファンにより騒音を低減でき、使用性が大幅に向上すとともに、コストダウンも可能となる。
【００６９】
また、略ロの字状の空気−冷媒熱交換器８の４方向から空気を流して、貯湯タンク１１の部分に、中間基板７を介して、分離されているために、空気の流れで、貯湯タンク１１が冷却されて、貯湯されているお湯の温度が下がることを防ぐことが出来、実使用に際して湯切れなどの不具合が生じにくいようにすることが可能である。
【００７０】
また、ロの字状の空気−冷媒熱交換器８の全周から空気を流して熱交換することにより、ＭＢ（メーターボックス）などの閉塞された空間、つまりは４方向が閉じられたような空間に設置した場合にも、４方向から吸引できるために、熱交換能力がダウンすることがなく、設置汎用性を高めることができる。
【００７１】
（実施の形態３）
図６は、本発明の第３の実施の形態におけるヒートポンプ給湯機の正面及び上面内観図である。付与している番号に付いては、第１の実施の形態と同一である。
【００７２】
図６において、８は空気−冷媒熱交換器であり、上方から見て略ロの字状に構成されており、本体ユニット１の４方向全域が空気−冷媒熱交換器８となるように構成されている。空気−冷媒熱交換器８の上方には、空気−冷媒熱交換器８を覆うように送風ファン９が設けられており、上方へ風を流すようになっている。一点鎖線で記載している４７は、送風ファン７外方のベルマウスである。太目の矢印は、空気の流れを示しており、ロの字状の空気−冷媒熱交換器８の４方向全周から空気を流し、熱交換させている。
【００７３】
それにより、空気−冷媒熱交換器８の面積を本体ユニット１の設置面積とほぼ同じ大きさまで大きくすることができ、蒸発面積が大きくなり、ひいてはヒートポンプ能力、加熱能力を高めることが可能となる。ただし、送風ファン９を空気−冷媒熱交換器８の内方に入れた、実施の形態２と、上方に配した実施の形態３を比較すると、同一面積として考えてみると、実施の形態２の様に内方に入れたほうが、空気−冷媒熱交換器８をより上方まで延伸できるので、その面積は大きくすることができる。
【００７４】
しかし、その分、送風ファン９の径を小さくしなくてはならないので、送風ファン９の風量は少なくなる。実施の形態３の様に、送風ファン９を空気−冷媒熱交換器８の上方に配した場合は、本体ユニット１が同一高さであれば、空気−冷媒熱交換器８の面積は小さくなるが、送風ファン９の風量は稼ぐ事が可能であり、同一風量で見れば、低騒音化も可能となる。これに関しては、各種性能を含めて最適形状を考えれば良いということが言える。いずれにしても、従来例で示した、空気−冷媒熱交換器８を平板状あるいは、Ｕ字状にして、送風ファン９による風の流れを前方に流す場合と比べれば、加熱性能の大幅な向上と、低騒音化が実現できることになる。
【００７５】
（実施の形態４）
図７は、本発明の第４の実施の形態におけるヒートポンプ給湯機の概略斜視図であり、付与している番号に付いては、第１の実施の形態と同一である。７は本体ユニット１の中間に配された中間基板であり、この中間基板７に空気−冷媒熱交換器８が載置されている。
【００７６】
そして、この中間基板７で、空気−冷媒熱交換器８と、圧縮機４などの空気−冷媒熱交換器８を除く冷媒循環回路２及び、給湯サイクル３が分離されている。そして、この中間基板７は、後方に向かって傾斜されており、空気−冷媒熱交換器８にて凝縮され結露した水分が、中間基板７の後方に排水されるようになっており、下方にある圧縮機４などの高圧部分に水がかかることがなく、安全性に優れたヒートポンプ給湯機となっている。
【００７７】
（実施の形態５）
図８は、本発明の第５の実施の形態におけるヒートポンプ給湯機の上面内観図であり、本体ユニット１の下方を示したものである。付与している番号に付いては、第１の実施の形態と同一である。
【００７８】
１０は本体下左方に配設された給湯サイクルに含まれる水−冷媒熱交換器であり、放熱器５と水−冷媒熱交換器１０は一体形状となっている。１１は貯湯タンクであり、この貯湯タンクは１１は、本体ユニット１の後方まで飛び出しており、後板５２には、Ｒ状に飛び出した後板凸部５２ａが設けられている。それにより、貯湯タンク１１は本体ユニット１の後方に配することができ、貯湯タンク１１前方のスペースに、給湯回路１２を配置でき、空間を有効に活用することにより、コンパクト化を図ることができる。
【００７９】
第２の実施の形態で図５で示したように、貯湯タンク１１の上方にある空気−冷媒熱交換器８は４方向から空気を吸引する。そのためには、４方向には空気を入れるための間隙が必要であり、その間隙をどの程度にするかは、設置の際に考慮しなくてはならない。そのため、このようなＲ状に飛び出た後板凸部５２ａがあったとしても、設置スペースに制約とはならない。むしろ、その寸法を決め込むのに、このＲ状凸部５２ａを利用して、Ｒ状凸部が接するまで近づけても、性能面では問題がないとすれば、スペースを取らなかったために性能が出ないなどといった誤設置による性能ダウンを防ぐことができ、設置性の向上につながる。
【００８０】
（実施の形態６）
図９は、本発明の第６の実施の形態におけるヒートポンプ給湯機の上面内観図および正面内観図である。本体ユニット１は、高さと横幅、奥行きの比を、横幅と奥行きの比は、横幅１に対し奥行き０．８〜１．２、横幅１に対し高さ２以上の、スリム形状としたものであり、これは今まで述べてきたように、本体ユニット１内に圧縮機４、放熱器５、減圧手段である電動膨張弁６および蒸発器である空気−冷媒熱交換器８を順次接続して閉回路を構成し、略ロの字状の空気−冷媒熱交換器８と、送風手段である送風ファン９を本体ユニット１の上方に配し、給湯サイクル３を構成する貯湯タンク１１、給湯回路１２と、空気−冷媒熱交換器８を除く冷媒循環回路２を本体下方に配して、送風ファン９で吸引される空気を空気−冷媒熱交換器で熱交換した後に、上方に排出する構成としたことにより可能となったものである。
【００８１】
これにより、設置面積を少なくすることができ、設置汎用性を高めることが可能となるとともに、メンテナンスの際に重要な部品となる、圧縮機４や水−冷媒熱交換器１０、水ポンプ（風呂循環水ポンプ１８、追炊きポンプ１９、給湯循環水ポンプ２４）を近接し、しかも下方に配置しているの、容易に交換ができ、メンテナンス性が向上する。
【００８２】
（実施の形態７）
本発明の第７の実施の形態におけるヒートポンプ給湯機は、水−冷媒熱交換器１０で暖められた温水は、最初は、高温な温水を貯めている貯湯タンク１１内の温水と、水道水を混ぜて、給湯、貯湯を行うが、冷媒サイクルが立ちあがった後は、元混合弁３１の開度を調整し、貯湯タンク１１からの高温の温水と、水−冷媒熱交換器１０からの温水を適温に混合し、給湯混合弁３５や、風呂注湯混合弁３６に送り、給湯混合弁３５や風呂注湯混合弁３６で入水管１３を通ってきた水道水と混合して給湯、貯湯する。
【００８３】
そして、最終的には、元混合弁３１の開度を調整して、タンク給湯管３４側を閉じて、貯湯タンク１１からの温水は用いず、入水管１３、水道水供給管２７、逆止弁２８を通ってきた水道水を冷媒サイクル２の水−冷媒熱交換器１０で加熱して得た温水を、元混合弁３１を介して、給湯混合弁３５、風呂注湯混合弁３６へ送り、入水管１３を通ってきた水道水と、混合し、所定の温度を得て、蛇口２２、シャワー２３への給湯や、風呂３７への注湯を行う。
【００８４】
即ち、制御装置４５によって、冷媒サイクル２の立ち上がり状態を把握し、元混合弁３１や給湯混合弁３５、風呂注湯混合弁３６の開度を調整し、所定温度の温水を給湯端末に
供給する制御が行われる。このように貯湯手段である貯湯タンク１１を介さないで、給湯、貯湯するようなりアルタイム給湯を可能とし、使用者が給湯したいときに給湯ができる速湯性能を確保することができ、使い勝手の良いヒートポンプ給湯機を提供することができる。この速湯性能の確保によって、貯湯タンク１１の容量を貯湯式のヒートポンプ給湯機のそれよりも小さいものとすることができ、本体ユニット１のコンパクト化、ひいては設置性の大幅な向上、コストダウン、使用性の向上を実現できることにもなる。
【００８５】
（実施の形態８）
本発明の第８の実施の形態におけるヒートポンプ給湯機は、特に第１の発明のヒートポンプ給湯機を、冷媒として炭酸ガスを用いて構成したものであり、高温給湯の際の熱効率を高めるとともに、冷媒が外部に漏れても、地球温暖化に及ぼす影響を、一般的エアコンに用いられているＲ−４１０Ａの冷媒に比して大幅に低減することができ、環境に優しく、リサイクル性にも優れたヒートポンプ給湯機とすることができる。
【産業上の利用可能性】
【００８６】
以上のように、本発明は、ヒートポンプサイクルで温水を生成して給湯するヒートポンプ給湯機に適用され、例えば、家庭用の瞬間湯沸し器や、業務用の給湯装置などに適している。
【図面の簡単な説明】
【００８７】
【図１】本発明の第１の実施形態におけるヒートポンプ給湯機の概略斜視図
【図２】同ヒートポンプ給湯機の回路構成図
【図３】同ヒートポンプ給湯機の正面図
【図４】同ヒートポンプ給湯機の設置状態図
【図５】（ａ）本発明の第２の実施形態におけるヒートポンプ給湯機の上面図（ｂ）同正面図
【図６】（ａ）本発明の第３の実施形態におけるヒートポンプ給湯機の上面図（ｂ）同正面図
【図７】本発明の第４の実施形態におけるヒートポンプ給湯機の概略斜視図
【図８】本発明の第５の実施形態におけるヒートポンプ給湯機の上面図
【図９】（ａ）本発明の第６の実施形態におけるヒートポンプ給湯機の上面図（ｂ）同正面図
【符号の説明】
【００８８】
１  本体ユニット（筐体）
２  冷媒循環回路
３  給湯サイクル
４  圧縮機
５  放熱器
６  減圧手段
７  中間基板
８  蒸発器（空気−冷媒熱交換器）
９  送風手段（送風ファン）
１０  水−冷媒熱交換器
１１  貯湯手段（貯湯タンク）
５２ａ  凸部
【図１】
2006234350.tif 000003
【図２】
2006234350.tif 000004
【図３】
2006234350.tif 000005
【図４】
2006234350.tif 000006
【図５】
2006234350.tif 000007
【図６】
2006234350.tif 000008
【図７】
2006234350.tif 000009
【図８】
2006234350.tif 000010
【図９】
2006234350.tif 000011